(57)【要約】【課題】移動先の無線基地局に切り替える際に通信を開始するまでの時間を短縮すること。【解決手段】移動端末に、第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替える手段と、第１の無線基地局から隣接無線基地局情報を受信していないと判断された場合に、第２の無線基地局から通信パラメータの送信タイミング情報を取得する手段と、第１の無線基地局に対して、該移動端末宛のデータがあるか否かを問い合わせる手段と、取得する手段により取得された送信タイミングが第１の期間に含まれる場合に、問い合わせる手段による問い合わせの結果が、第１の無線基地局から該移動端末宛に対して送信されるデータがないことを示す場合に、送信タイミングにおいて第２の無線基地局から送信される通信パラメータを受信する手段とを有する。【選択図】図７
2010021640.tif 000002
【特許請求の範囲】
【請求項１】
移動端末において、
第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替える手段と、
前記第１の無線基地局から隣接無線基地局情報を受信していないと判断された場合に、第２の無線基地局から通信パラメータの送信タイミング情報を取得する手段と、
前記第１の無線基地局に対して、該移動端末宛のデータがあるか否かを問い合わせる手段と、
前記取得する手段により取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信する手段と
を有する移動端末。
【請求項２】
請求項１に記載の移動端末において、
前記問い合わせる手段は、前記取得する手段により取得された送信タイミングが前記送信された情報の受信を行う期間に含まれると判定された後、該前記送信された情報の受信を行う期間の開始直前に、当該移動端末宛のデータがあるかを問い合わせる移動端末。
【請求項３】
請求項１に記載の移動端末において、
前記問い合わせる手段は、前記取得する手段により取得された送信タイミングが前記送信された情報の受信を行う期間に含まれる場合に、前記受信する手段において前記第２の無線基地局により送信される通信パラメータが受信された後、当該移動端末宛のデータがあるかを問い合わせる移動端末。
【請求項４】
請求項３に記載の移動端末において、
前記問い合わせる手段は、前記情報の受信を行う期間が終了する際に、前記第１の無線基地局によりページングメッセージを受信していない場合に、当該移動端末宛のデータがあるかを問い合わせる移動端末。
【請求項５】
請求項１ないし４のいずれか１項に記載の移動端末において、
前記問い合わせる手段は、前記第１の無線基地局に、位置情報の更新を送信することにより、当該移動端末宛のデータがあるかを問い合わせる移動端末。
【請求項６】
移動端末が、第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替えるステップと、
前記移動端末が、前記第１の無線基地局から隣接無線基地局情報を受信していないと判断された場合に、第２の無線基地局から通信パラメータの送信タイミング情報を取得するステップと、
前記移動端末が、前記第１の無線基地局に対して、該移動端末宛のデータがあるか否かを問い合わせるステップと、
前記移動端末が、前記取得するステップにより取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信するステップと
を有する方法。
【発明の詳細な説明】
【技術分野】
【０００１】
本発明は、移動通信システムに関する。
【背景技術】
【０００２】
無線基地局(BS:  Base  Station)と移動端末(MS:  Mobile  Station)とを有する移動通信システムが存在する。無線基地局は、無線通信エリアを提供する。このような移動通信システムにおいて、移動端末の電池容量には限りがある。このため、移動通信システムでは、一般的に、通信が一定時間発生しなかった移動端末に対するネットワークへの登録を解除し、一部の機能を停止又は制限する。ここで、ネットワークへの登録の解除には、無線基地局とのコネクションの削除、割り当てられた移動端末識別情報の開放などを行い、無線基地局から移動端末の情報を削除することが含まれる。ネットワークへの登録とはその逆の処理が含まれる。移動端末識別情報には、例えばIPアドレスなどが含まれる。このようにすることで、移動端末の消費電力を削減する。このような機能は、アイドルモード(IDLE  MODE)と呼ばれる。
【０００３】
一例として、WiMAX(Worldwide  Interoperability  for  Microwave  Access)が適用される移動通信システムについて説明する。
【０００４】
移動端末と、該移動端末と通信を行う無線基地局(Preferred  BS)（以下、接続無線基地局と呼ぶ）は、通信期間(Listening  Interval)と非通信期間(Unavailable  Interval)とを事前に決定する。アイドルモードである移動端末は、無線基地局から送信される移動端末宛のデータの有無を示すページングアドバタイズメント(Paging  Advertisement)メッセージを通信期間に受信する。ここで、ページングアドバタイズメントにより、移動端末宛のデータがある旨の通知を受けると移動端末は、アイドルモードから脱し、無線基地局との間で通信再開の処理を行って、移動端末宛のデータを受信する。尚、ページングアドバタイズメントは、MOB_PAG-ADVと呼ばれてもよい。また、無線基地局は、ページンググループ(Paging  Group)を構成する。ページンググループには、複数の無線基地局が含まれる。アイドルモードである移動端末が移動することにより、当該移動端末が通信を行う無線基地局が属するページンググループとは異なるページンググループに属する無線基地局と通信することになった場合について説明する。この場合、該移動端末は、移動先のエリアをカバーする無線基地局(Target  BS)（以下、移動先の無線基地局と呼ぶ）と通信を行う。この通信において、該移動端末は、位置情報を更新（Location  Update）する。
【０００５】
ところで、移動端末が無線基地局と通信するためには無線基地局固有の通信パラメータ情報を用いる。パラメータ情報には、例えばデータ送受信に使用するサブチャネルの情報や、データを信号に変換するための変調方式などが含まれる。この通信パラメータには、DCD(Downlink  Channel  Descriptor)/UCD(Uplink  Channel  Descriptor)が含まれる。例えば、DCDには、下りリンクの物理層の特性を規定するMACメッセージが含まれる。UCDには、上りリンクの物理層の特性を規定するMACメッセージが含まれる。
【０００６】
WiMAXにおいては、無線基地局は、当該無線基地局のDCD/UCD情報を配布する。また、無線基地局は、当該無線基地局に隣接する無線基地局のDCD/UCD情報を、隣接無線基地局情報として一定周期で配布する。例えば、一定周期としては、30秒であってもよい。また、隣接無線基地局情報は、MOB_NBR-ADVと呼ばれてもよい。移動端末は、MOB_NBR-ADVから隣接する無線基地局のDCD/UCD情報を予め取得する。このようにすることにより、移動端末は、移動先の無線基地局(Target  BS)に接続先を切り替えても、直ちに通信を行うことができる。
【非特許文献１】IEEE802.16e
【発明の開示】
【発明が解決しようとする課題】
【０００７】
移動端末が、隣接無線基地局情報が配布される一定周期以内に、移動先の無線基地局の通信エリアを通過した場合について説明する。例えば、移動端末は、該隣接無線基地局情報が配布されるタイミングによっては、MOB_NBR-ADVを受信しないまま移動先の無線基地局へ接続先を切り替える場合がある。例えば、移動先の無線基地局の属するページンググループが、通信を行っている移動前の無線基地局の属するページンググループとは異なるページンググループである場合、該移動端末は、移動先の無線基地局により配布されるDCD/UCD情報を保持していない。このため、該移動端末は、移動先の無線基地局からDCD/UCD情報が配布されるまで待機する。そして、該移動端末は、移動先の無線基地局から配布されるDCD/UCDを受信し、位置情報の更新(Location  Update)を行う。従って、移動端末が、隣接無線基地局情報が配布される一定周期以内に、移動先の無線基地局の通信エリアを通過した場合には、通信を開始するまでに時間がかかる場合がある。
そこで、移動先の無線基地局に切り替える際に通信を開始するまでの時間を短縮することができる移動端末及びシステム並びに方法を提供することを目的とする。
【課題を解決するための手段】
【０００８】
上記課題を解決するため、本移動端末は、
移動端末において、
第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替える手段と、
前記第１の無線基地局から隣接無線基地局情報を受信していないと判断された場合に、第２の無線基地局から通信パラメータの送信タイミング情報を取得する手段と、
前記第１の無線基地局に対して、該移動端末宛のデータがあるか否かを問い合わせる手段と、
前記取得する手段により取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信する手段と
を有する。
【０００９】
本方法は、
移動端末が、第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替えるステップと、
前記移動端末が、前記第１の無線基地局から隣接無線基地局情報を受信していないと判断された場合に、第２の無線基地局から通信パラメータの送信タイミング情報を取得するステップと、
前記移動端末が、前記第１の無線基地局に対して、該移動端末宛のデータがあるか否かを問い合わせるステップと、
前記移動端末が、前記取得するステップにより取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信するステップと
を有する。
【発明の効果】
【００１０】
移動先の無線基地局に切り替える際に通信を開始するまでの時間を短縮することも可能となる。
【発明を実施するための最良の形態】
【００１１】
次に、本発明を実施するための最良の形態を、以下の実施例に基づき図面を参照しつつ説明する。
【００１２】
なお、実施例を説明するための全図において、同一機能を有するものは同一符号を用い、繰り返しの説明は省略する。
【００１３】
（通信システムの構成例）
本実施例に係る通信システムでは、移動端末に対して、通信パラメータが配信されるタイミングが通知される。例えば、無線基地局は、移動端末に対して通信パラメータが配信されるタイミングを通知する。このような通信システムには、WiMAX(Worldwide  Interoperability  for  Microwave  Access)が含まれる。そこで、本実施例では、WiMAX(Worldwide  Interoperability  for  Microwave  Access)を一例として説明する。WiMAXに限らず、通信パラメータが配信されるような他の通信システムにも適用できる。WiMAXにおいては、この通信パラメータはDCD/UCDと呼ばれてもよい。
【００１４】
WiMAXでは、時分割複信(TDD:  Time  Division  Duplex)方式が適用される。TDDでは、上りリンクと下りリンクの信号が同一周波数帯で送信され、下りリンクと上りリンクとが高速に切り替えられることにより、全二重通信が行われる。時分割複信方式における伝送フレームには、下りリンクの信号が送信される下りリンクサブフレームと、上りリンクの信号が送信される上りリンクサブフレームとが含まれる。また、本実施例に係る通信システムは、直交周波数分割多重(OFDM:  Orthogonal  Frequency  Division  Multiplexing)／直交周波数分割多重接続(OFDMA:  Orthogonal  Frequency  Division  Multiple  Access)が適用される。
【００１５】
本実施例に係る通信システムは、無線基地局１００、移動端末２００を有する。無線基地局１００と移動端末２００は、時分割複信方式により無線通信を行う。時分割複信方式における伝送フレームは、図１に示すように下りリンクサブフレーム(DL  Subframe)と上りリンクサブフレーム(UL  Subframe)により構成され、１対の下りリンクサブフレームと上りリンクサブフレームにより、１フレームが構成される。図１において、縦軸はサブチャネルの論理番号(Subchannel  Logical  Number)を示し、横軸はシンボル番号(Symbol  Number)を示す。また、下りリンクサブフレームでは１スロットは２シンボルにより構成され、上りリンクサブフレームでは１スロットは３シンボルにより構成される。また、下りリンクフレームには、プリアンブル(Preamble)と、フレーム制御ヘッダ(FCH:  Frame  Control  Header)と、DL-MAPと、UL-MAPと、下りリンクバースト(DL  burst)とが含まれる。下りリンクバーストは、複数の領域に区分（分割）されてもよい。図１には、下りリンクバーストが６個の領域に区分（分割）されている場合を示す。また、上りリンクサブチャネルには、レンジング領域と、上りリンクバースト(UL  burst)とが含まれる。上りリンクバーストは、複数の領域に区分（分割）されてもよい。図１には、上りリンクバーストが５個の領域に区分（分割）されている場合を示す。
【００１６】
移動端末２００は、下りリンクのサブフレームにおいて予め割り当てられたレンジング領域を使用して初期レンジングコードを送信する。初期レンジングコードはレンジングリクエスト(RNG-REQ:  Ranging  Request)と呼ばれてもよい。
【００１７】
上述したように、隣接無線基地局情報が配布される一定周期以内に、移動端末が移動先の無線基地局の通信エリアを通過した場合には、通信を開始するまでに時間がかかるという問題に対して、以下の対策が考えられる。例えば、MOB_NBR-ADVを受信していない未受信の状態で接続先の無線基地局の切り替えが必要と判断した移動端末は、該切り替え処理を行う前に自律的に移動先の無線基地局の情報を取得する。
【００１８】
例えば、移動端末は、MOB_NBR-ADVを受信していない未受信の状態で接続先の無線基地局を切り替えると判断した場合、現在通信中の無線基地局（接続無線基地局）に対して隣接無線基地局のスキャン（SCAN）処理を要求する。このようにすることにより、該移動端末は、通信中の無線基地局に対する非通信期間の情報を取得し、該非通信期間の間に隣接無線基地局に接続して、該隣接無線基地局により送信されるフレームを参照し必要な情報を取得する。
【００１９】
この技術をアイドルモードである移動端末における無線基地局の切り替え手順に適用した場合における動作シーケンスについて、図２を参照して説明する。このようにすることより、移動端末は、自律的にDCD/UCD情報を取得することができる。
【００２０】
移動端末２００は、非通信期間(Unavailable  Interval)において、接続無線基地局(Preferred  BS)の電波強度を監視し、電波強度の低下を検出する（ステップＳ２０２）。
【００２１】
移動端末２００は、中心周波数を移動先の無線基地局(Target  BS)の周波数にあわせて、該移動先の無線基地局に同期する（ステップＳ２０４）。
【００２２】
移動端末２００は、移動先の無線基地局により送信される下りリンクの信号に含まれるフレームを参照する（ステップＳ２０６）。
【００２３】
移動端末２００は、下りリンクサブフレームに含まれるDL-MAPを参照する（ステップＳ２０８）。DL-MAPには、下りリンク方向のフレーム制御情報が含まれる。例えば、DL-MAPには、DCD/UCDの配布タイミング情報が含まれる。
【００２４】
移動端末２００は、該DCD/UCD配布タイミング情報を取得する（ステップＳ２１０）。
【００２５】
移動端末２００は、中心周波数を接続無線基地局の周波数にあわせて、通信中であった無線基地局に再び同期する（ステップＳ２１２）。これにより移動端末２００は、接続先を接続無線基地局に戻すこととなる。
【００２６】
その後、移動端末２００は、DCD/UCD配布タイミング情報により指定されるDCD/UCD配布タイミングに合わせて、移動先の無線基地局に再同期する（ステップＳ２１４）。
【００２７】
移動端末２００は、移動先の無線基地局により送信される下りリンクの信号に含まれるフレームを参照し、DCD/UCD情報を取得する（ステップＳ２１６）。その際、移動端末２００は、接続無線基地局との間では、非通信期間である。従って、移動端末２００は、移動先の無線基地局に接続することにより、DCD/UCD情報を取得することができる。
【００２８】
移動端末２００は、中心周波数を接続無線基地局の周波数にあわせて、該接続無線基地局に同期する。そして、移動端末２００は、接続先を接続無線基地局に戻す。
【００２９】
これにより、移動端末は、MOB_NBR-ADV未受信のまま移動先の無線基地局へ接続先を切り替えたとしても、取得したDCD/UCD情報を使用することにより早期に通信を開始することができる。
【００３０】
しかし、ここで、移動先の無線基地局により送信されるDCD/UCD配布タイミングが接続無線基地局の通信期間と重なる場合がある。例えば、図３に示すように、MOB_PAG-ADVが移動端末２００宛のデータ有りで送信された場合（ステップＳ２１８）、移動端末２００はアイドルモードを解除し、ネットワークに再接続してデータ受信に備える動作を行うこととなるので、通信期間においては、移動端末２００は、MOB_PAG-ADV受信のために接続無線基地局からの信号を受信する。
【００３１】
しかし、ここで、移動端末２００がMOB_PAG-ADVの受信を無視し、移動先の無線基地局のDCD/UCD受信を行うようにした場合、該移動端末宛データがあった場合に、移動端末は、移動端末宛のデータがあることの検出を行わず、データの受信が遅れることとなる。
【００３２】
（第１の実施例）
本実施例では、移動端末２００がMOB_NBR-ADV未受信の状態で、かつ移動先の無線基地局のDCD/UCD配布タイミングが、接続無線基地局の通信期間と重なる状況における動作を以下のようにすることとする。
【００３３】
本実施例に係る移動端末２００は、移動先の無線基地局のDCD/UCD配布タイミングが接続無線基地局の通信期間と重なると判断した場合には、以下の処理を行う。該移動端末２００は、通信期間になる前に無線基地局（接続無線基地局）に対して、当該移動端末宛データの有無を確認する。即ち、接続無線基地局に当該移動端末宛に送信されるデータがあるか否か問い合わせを行う。そして、該移動端末２００は、問い合わせの結果、当該移動端末宛のデータがないと判断した場合には移動先の無線基地局に接続してDCD/UCD情報を受信する。このようにすることにより、移動先の無線基地局に切り替える際に通信を開始するまでの時間を短縮できる。
【００３４】
図４を参照して説明する。
【００３５】
移動端末２００は、非通信期間において、接続無線基地局の電波強度を監視し、電波強度の低下を検出する（ステップＳ４０２）。
【００３６】
移動端末２００は、中心周波数を移動先の無線基地局の周波数にあわせて、該移動先の無線基地局に同期する（ステップＳ４０４）。
【００３７】
移動端末２００は、移動先の無線基地局により送信される下りリンクの信号に含まれるフレームを参照する（ステップＳ４０６）。
【００３８】
移動端末２００は、下りリンクサブフレームに含まれるDL-MAPを参照する（ステップＳ４０８）。DL-MAPには、下りリンク方向のフレーム制御情報が含まれる。例えば、DL-MAPには、DCD/UCDの配布タイミング情報が含まれる。
【００３９】
移動端末２００は、該DCD/UCD配布タイミング情報を取得する（ステップＳ４１０）。
【００４０】
移動端末２００は、該DCD/UCD配布タイミングが通信期間であることを確認する（ステップＳ４１２）。
【００４１】
移動端末２００は、ステップＳ４１２において、該DCD/UCD配布タイミングが通信期間であることが確認できた場合には、当該移動端末２００宛のデータが無いことを確認する（ステップＳ４１４）。即ち、接続無線基地局に対して、当該移動端末２００宛てのデータがあるか否かを問い合わせる信号を送信し、その問い合わせに対する応答信号（データの有無の別を示す情報を含む）に基づいて、当該移動端末２００宛のデータが無いことを確認する。
【００４２】
移動端末２００は、ステップＳ４１４において、当該移動端末２００宛のデータが無いことを確認できた場合には、取得したDCD/UCD配布タイミング情報で特定されるタイミングで、移動先の無線基地局に接続する。そして、該移動端末２００は、移動先の無線基地局により送信されるDCD/UCD情報を受信する（ステップＳ４１６）。
【００４３】
一方、当該移動端末２００宛のデータが有ることを確認できた場合には、取得したDCD/UCD配布タイミング情報で特定されるタイミングで、移動先の無線基地局に接続する動作は行わず、接続先無線基地局から送信されるMOB_PAG-ADVを通信期間において受信する。
【００４４】
本実施例に係る移動端末２００について、図５を参照して説明する。
【００４５】
移動端末２００は、隣接BS情報未受信無線基地局移動判定部２０２を有する。隣接BS情報未受信無線基地局移動判定部２０２は、当該移動端末２００が、移動先の無線基地局に対応する隣接無線基地局情報を受信しないまま該移動先の無線基地局へ移動するかを判定する。例えば、隣接BS情報未受信無線基地局移動判定部２０２は、MOB_NBR-ADVを接続無線基地局から受信せず、かつ移動先の無線基地局への切替条件の満了を検出したときに隣接BS情報を未受信である無線基地局への移動であると判定するようにしてもよい。
【００４６】
移動端末２００は、移動先BS決定部２０４を有する。移動先BS決定部２０４は、隣接BS情報未受信無線基地局移動判定部２０２により隣接BS情報を未受信である無線基地局への移動と判定された場合に、該無線基地局を移動先の無線基地局と決定する。
【００４７】
移動端末２００は、通信パラメータ送信タイミング情報取得部２０６を有する。通信パラメータ送信タイミング情報取得部２０６は、移動先の無線基地局から通信パラメータ情報の送信タイミング情報を取得する。
【００４８】
移動端末２００は、通信パラメータ送信タイミング判定部２０８を有する。通信パラメータ送信タイミング判定部２０８は、通信パラメータ送信タイミング情報取得部２０６により取得された移動先の無線基地局の通信パラメータの送信タイミングが、接続無線基地局との通信期間に重なるかを判定する。
【００４９】
移動端末２００は、MS宛データ有無判定部２１０を有する。MS宛データ有無判定部２１０は、PAGING情報に基づいて当該移動端末２００宛のデータの有無を判定する。また、問い合わせ信号を生成して、無線部から接続先無線基地局に対して送信し、その応答信号を解析することにより、移動端末２００宛ての送信データが有るか否か判定する。
【００５０】
接続先無線基地局は、ネットワーク側等から移動端末２００宛ての送信データを受信し、送信待ちとして待機させていない場合は、送信（予定）データ無しとしてPAGING情報とは別個に移動端末２００に応答することができる。他方、移動端末２００宛ての送信データを受信し、送信待ちとして待機させている場合は、送信（予定）データ有りとしてPAGING情報とは別個に移動端末２００に応答することができる。
【００５１】
移動端末２００は、通信パラメータ情報取得部２１２を有する。通信パラメータ情報取得部２１２は、移動先の無線基地局が送信する通信パラメータ情報を取得する。
【００５２】
移動端末２００は、PAGING情報取得部２１４を有する。PAGING情報取得部２１４は、移動先の無線基地局との間で設定した通信期間/非通信期間の情報を取得する。
【００５３】
移動端末２００は、ネットワーク登録処理部２１６を有する。ネットワーク登録処理部２１６は、MS宛データ有無判定部２１０により、PAGING情報に基づいて当該移動端末２００宛のデータが有ると判定された場合に、当該移動端末２００をネットワークに登録する。  移動端末２００は、PAGINGメッセージ受信判定部２１８を有する。PAGINGメッセージ受信判定部２１８は、移動先の無線基地局から、当該移動端末２００宛データの有無を示すページングメッセージを受信したか否かを判定する。
【００５４】
移動端末２００は、BS切替処理部２２０を有する。BS切替処理部２２０は、接続先の無線基地局の切替を行う。
【００５５】
本実施例に係る移動端末の動作について説明する。
【００５６】
（１）隣接BS情報未受信無線基地局移動判定部２０２は、移動先の無線基地局への切替条件に関する情報を収集する。また、隣接BS情報未受信無線基地局移動判定部２０２は、該移動先の無線基地局への切替条件に合致した際に、MOB_NBR-ADVを受信していない状態である場合には、移動先の無線基地局の決定を移動先BS決定部２０４に依頼する。
【００５７】
（２）移動先BS決定部２０４は、移動先の無線基地局の決定条件に従って、移動先の無線基地局を決定する。そして、移動先BS決定部２０４は、BS切替処理部２２０に対して、該移動先の無線基地局への接続を依頼する。
【００５８】
（３）BS切替処理部２２０は、移動先の無線基地局の中心周波数に設定する。その結果、接続先が移動先の無線基地局に切り替えられる。
【００５９】
（４）当該移動端末２００が移動先の無線基地局に接続された後、通信パラメータ送信タイミング情報取得部２０６は、該移動先の無線基地局から送信されるフレームを参照して、該フレームに含まれる通信パラメータ送信タイミング情報を取得する。そして、通信パラメータ送信タイミング情報取得部２０６は、BS切替処理部２２０に、接続無線基地局への接続を依頼する。
【００６０】
（５）BS切替処理部２２０は、接続無線基地局の中心周波数に設定し、接続先を接続無線基地局に切り替える。
【００６１】
（６）通信パラメータ送信タイミング判定部２０８は、通信パラメータ送信タイミング情報取得部２０６により取得された移動先の無線基地局の通信パラメータ送信タイミングが接続無線基地局との通信期間に重なるかどうか判定する。そして、通信パラメータ送信タイミング判定部２０８は、移動先の無線基地局の通信パラメータ送信タイミングと、接続無線基地局との通信期間とが重なる場合は、当該移動端末２００宛のデータがあるか否かの判定をMS宛データ有無判定部２１０へ依頼する。
【００６２】
（７）MS宛データ有無判定部２１０は、接続無線基地局に当該移動端末２００宛データの有無を確認する。尚、MS宛データ有無判定部２１０は、上記重なることが検出されるよりも前に行うこともできる。例えばアイドルモードにおいて、定期的に接続無線基地局に問い合わせを行って、移動端末２００宛てのデータの有無を判断可能にしてもよい。MS宛データ有無判定部２１０は、当該移動端末宛データがない場合は、BS切替処理部２２０に対して、移動先の無線基地局の通信パラメータ送信タイミングにあわせて該移動先の無線基地局へ接続するように依頼する。
【００６３】
（８）BS切替処理部２２０は、移動先の無線基地局の中心周波数に設定し、接続先を移動先の無線基地局に切り替える。
【００６４】
（９）通信パラメータ情報取得部２１２は、移動先の無線基地局から送信されるフレームを参照して、該フレームに含まれるDCD/UCD情報を取得する。そして、通信パラメータ情報取得部２１２は、BS切替処理部２２０に、接続無線基地局への接続を依頼する。
【００６５】
（１０）BS切替処理部２２０は、接続無線基地局の中心周波数を設定し、接続先を接続無線基地局に切り替える。
【００６６】
このようにすることにより、移動端末２００は、接続無線基地局との接続状況がさらに悪化し、MOB_NBR-ADVを受信しないまま移動先の無線基地局に接続先を切り替えたとしても既に移動先の無線基地局のDCD/UCD情報を取得している。このため、移動先の無線基地局からDCD/UCD情報が配布されるのを待つこと無く、直ちに該移動先の無線基地局と通信を行うことができる。
【００６７】
本実施例に係る移動端末の他の動作について説明する。
【００６８】
移動端末の他の動作は、上述した動作と（６）及び（７）が異なる。
【００６９】
（６）通信パラメータ送信タイミング判定部２０８は、通信パラメータ送信タイミング情報取得部２０６により取得された移動先の無線基地局の通信パラメータ送信タイミングが接続無線基地局との通信期間に重なるかどうか判定する。そして、通信パラメータ送信タイミング判定部２０８は、移動先の無線基地局の通信パラメータ送信タイミングと、接続無線基地局との通信期間とが重なる場合は、PAGING情報取得部２１４に接続無線基地局との通信期間の開始タイミングの取得を依頼する。そして、通信パラメータ送信タイミング判定部２０８は、PAGING情報取得部２１４により取得された接続無線基地局との通信期間の開始タイミングをMS宛データ有無判定部２１０に通知する。
【００７０】
（７）MS宛データ有無判定部２１０は、通信パラメータ送信タイミング判定部２０８により通知された通信期間開始の直前のタイミングで、接続無線基地局に当該移動端末２００宛データの有無を確認する。MS宛データ有無判定部２１０は、当該移動端末２００宛データがない場合は、BS切替処理部２２０に対して、通信パラメータ送信タイミングにあわせて該移動先の無線基地局へ接続するように依頼する。
【００７１】
以降、上述した（８）−（１０）の処理が行われる。
【００７２】
このようすることにより、移動端末宛データの有無を判定する（問い合わせを行う）処理を、接続無線基地局との通信期間中における通信開始直前まで遅らせることができる。その結果、当該移動端末２００宛データ有無の判定を新しい情報に基づいて行うことができる。また、移動端末２００は、通信期間で移動先の無線基地局のDCD/UCD情報を受信すべきか否かの判定の正確性を向上することが可能となる。
【００７３】
本実施例に係る移動端末の他の動作について説明する。
【００７４】
移動端末の他の動作は、上述した動作と（６）以降の処理が異なる。
【００７５】
（６）通信パラメータ送信タイミング情報取得部２０６は、BS切替処理部２２０に対して、通信パラメータ送信タイミングにあわせて移動先の無線基地局へ接続するように依頼する。
【００７６】
（７）BS切替処理部２２０は、移動先の無線基地局の中心周波数に設定し、接続先を移動先の無線基地局に切り替える。
【００７７】
（８）通信パラメータ情報取得部２１２は、移動先の無線基地局から送信されるフレームを参照して、該フレームに含まれるDCD/UCD情報を取得する。そして、通信パラメータ情報取得部２１２は、BS切替処理部２２０に、接続無線基地局への接続を依頼する。
【００７８】
（９）BS切替処理部２２０は、接続無線基地局の中心周波数に設定し、接続先を接続無線基地局に切り替える。
【００７９】
（１０）通信パラメータ送信タイミング判定部２０８は、移動先の無線基地局の通信パラメータ送信タイミングが、接続無線基地局との通信期間に重なっていたかどうか判定する。そして、通信パラメータ送信タイミング判定部２０８は、移動先の無線基地局の通信パラメータ送信タイミングと、接続無線基地局との通信期間とが重なっていた場合、MS宛データ有無判定部２１０に対して、当該移動端末２００宛のデータがあるか否かの判定を依頼する。
【００８０】
（１１）MS宛データ有無判定部２１０は、接続無線基地局に当該移動端末２００宛データの有無を確認する。MS宛データ有無判定部２１０は、当該移動端末２００宛データがある場合にはネットワーク登録処理部２１６へネットワークへの登録を依頼する。
【００８１】
（１２）ネットワーク登録処理部２１６は、接続無線基地局に対して、ネットワーク登録処理を行う。その結果、移動端末２００は、当該移動端末２００宛データの受信に備えることができる。
【００８２】
このように、移動端末宛データの有無を判定する処理を、DCD/UCD情報取得よりも後に行うようにすることにより、当該移動端末宛データが有った場合にも、移動先の無線基地局のDCD/UCD情報を取得することができる。さらに、移動端末が自律的にネットワーク登録処理を行うことにより、当該移動端末宛データの受信にも対応することができる。
【００８３】
本実施例に係る移動端末の他の動作について説明する。
【００８４】
移動端末の他の動作は、上述した動作と（６）以降の処理が異なる。
【００８５】
（６）通信パラメータ送信タイミング情報取得部２０６は、BS切替処理部２２０に対して、通信パラメータ送信タイミングにあわせて移動先の無線基地局へ接続するように依頼する。
【００８６】
（７）BS切替処理部２２０は、移動先の無線基地局の中心周波数に設定し、接続先を移動先の無線基地局に切り替える。
【００８７】
（８）通信パラメータ情報取得部２１２は、移動先の無線基地局から送信されるフレームを参照して、該フレームに含まれるDCD/UCD情報を取得する。そして、通信パラメータ情報取得部２１２は、BS切替処理部２２０に、接続無線基地局への接続を依頼する。
【００８８】
（９）BS切替処理部２２０は、接続無線基地局の中心周波数に設定し、接続先を接続無線基地局に切り替える。
【００８９】
（１０）通信パラメータ送信タイミング判定部２０８は、PAGING情報取得部２１４に対して、接続無線基地局との通信期間の終了タイミングの取得を依頼する。
【００９０】
（１１）通信パラメータ送信タイミング判定部２０８は、PAGING情報取得部２１４により取得された通信期間の終了タイミングをMS宛データ有無判定部２１０に通知する。
【００９１】
（１２）MS宛データ有無判定部２１０は、通知された通信期間が終了するタイミングで、PAGINGメッセージ受信判定部２１８へ、PAGINGメッセージを受信したか否かの判定を依頼する。
【００９２】
（１３）PAGINGメッセージ受信判定部２１８は、PAGINGメッセージを受信したか否かを判定する。MS宛データ有無判定部２１０は、PAGINGメッセージ受信判定部２１８により、PAGINGメッセージを受信していない未受信と判定された場合は、接続無線基地局に当該移動端末宛データの有無を確認する。また、MS宛データ有無判定部２１０は、PAGINGメッセージ受信判定部２１８により当該移動端末宛データがあると判定された場合にはネットワーク登録処理部２１６へネットワークへの登録を依頼する。
【００９３】
（１４）ネットワーク登録処理部２１６は、接続無線基地局に対してネットワーク登録処理を行う。その結果、移動端末２００は、当該移動端末２００宛データの受信に備えることができる。
【００９４】
このように、移動端末宛データの有無を判定する処理を、通信期間終了直前まで遅らせる。このようにすることにより、移動端末は、移動先の無線基地局のDCD/UCD受信後から通信期間終了までの間にMOB_PAG-ADVを受信できた場合に、接続無線基地局に対して、当該移動端末宛データの有無を確認することなくデータの有無をチェックすることができる。このため、移動端末と接続無線基地局との間の通信帯域を節約することが可能となる。
【００９５】
本実施例に係る移動端末の他の動作について説明する。
【００９６】
移動端末の他の動作は、上述した動作において、MS宛データ有無判定部２１０において、接続無線基地局に、当該移動端末宛データの有無を確認する手順が異なる。
【００９７】
本実施例に係る移動端末２００は、接続無線基地局に対して位置情報の更新(Location  Update)処理を行う。そして、該移動端末２００は、該位置情報の更新に対する応答に含まれる当該移動端末宛データの有無を示すパラメータにより判定を行う。
【００９８】
（第２の実施例）
本実施例に係る通信システムについて、図６を参照して説明する。
【００９９】
通信システムは、移動端末２００を有する。移動端末は、複数であってもよい。本実施例に係る通信システムは、無線基地局１００（１００１、１００２）を有する。無線基地局は、３以上であってもよい。
【０１００】
本実施例では、無線基地局１００１の通信エリアに在圏する移動端末２００は、無線基地局１００１からMOB_NBR-ADVを受信する前に無線基地局１００２の通信エリアに移動する。また、移動端末２００は、無線基地局１００１からの受信信号強度を監視する。受信信号強度には、RSSI(Receive  Signal  Strength  Indicator)が含まれてもよい。そして、移動端末２００は、該受信信号強度に対する信号雑音の比が小さくなると通信する無線基地局を無線基地局１００２に切り替える。受信信号強度に対する信号雑音の比には、CINR(Carrior  Interference  plus  Noise  Ratio)が含まれてもよい。
【０１０１】
本実施例では、上述したように、一例として、WiMAXが適用される通信システムについて説明する。WiMAXが適用される通信システムでは、移動端末２００と無線基地局１００は、IEEE802.16eの仕様に基づいて通信を行う。本実施例では、一例として、無線基地局１００１の中心周波数及びバンド幅をそれぞれ2498.5MHz及び5MHzとし、無線基地局１００２の中心周波数を及びバンド幅をそれぞれ2503.5MHz及び5MHzとする場合について説明する。
【０１０２】
本実施例に係る移動端末２００について、図７を参照して説明する。
【０１０３】
移動端末２００は、CINR測定部２５２を有する。CINR測定部２５２は、無線基地局２００からRSSI値と雑音成分を測定する。この測定は、定期的に行われてもよいし、不定期に行われてもよい。そして、CINR測定部２５２は、CINR値を算出する。CINR測定部２５２は、算出したCINR値を後述する制御部２７６に入力する。
【０１０４】
移動端末２００は、無線基地局間移動前処理実行条件格納部２５４を有する。無線基地局間移動前処理実行条件格納部２５４は、当該移動端末２００が無線基地局間を移動する場合の前処理の条件を格納する。該前処理の条件には、移動先の無線基地局のDCD/UCD情報の取得処理を実行する条件が含まれる。例えば、図８に示すように、該前処理の条件には、MOB_NBR-ADV受信状態と、CINR閾値が含まれるようにしてもよい。図８に示す例では、MOB_NBR-ADV未受信で、かつCINR値が20[db]よりも小さくなった場合に無線基地局間移動前処理が実行される。
【０１０５】
移動端末２００は、移動先BS決定部２５６を有する。移動先BS決定部２５６は、制御部２７６からの命令に従って、後述するBS接続情報格納部２７４に登録されている無線基地局接続情報に基づいて移動先の無線基地局を決定する。
【０１０６】
移動端末２００は、メッセージ処理部２５８を有する。メッセージ処理部２５８は、無線基地局２００からの制御メッセージを解析する。
【０１０７】
移動端末２００は、MOB_PAG-ADV受信管理部２６０を有する。MOB_PAG-ADV受信管理部２６０は、通信期間の間にMOB_PAG-ADVを受信したか否かを管理する。例えば、MOB_PAG-ADV受信管理部２６０は、図９に示すように、MOB_PAG-ADV受信状況を保持する。
【０１０８】
移動端末２００は、DCD/UCD送信タイミング情報格納部２６２を有する。DCD/UCD送信タイミング情報格納部２６２は、移動先の無線基地局から受信したDCD/UCD情報に含まれる送信タイミング情報を保持する。例えば、該送信タイミング情報にはDCD/UCD情報が送信されるフレームのフレーム番号としてもよい。
【０１０９】
移動端末２００は、MS宛データ有無判定部２６４を有する。MS宛データ有無判定部２６４は、当該移動端末宛のデータの有無を接続無線基地局に問い合わせる。例えば、無線基地局１００１のカバーするエリアに在圏する移動端末２００は、IEEE802.16eに基づいた位置情報の更新(Location  Update)を無線基地局１００１に対して行う。また、該移動端末２００は、無線基地局１００１にレンジングリクエスト(RNG−REQ)送信するようにしてもよい。そして、無線基地局１００１により送信されたレンジング応答(RNG−RSP)に基づいて、当該移動端末宛のデータの有無を判定するようにしてもよい。このようにすることにより、該移動端末２００は、当該移動端末２００宛データの有無の問い合わせを行うことができる。
【０１１０】
移動端末２００は、DCD/UCD情報格納部２６６を有する。DCD/UCD情報格納部２６６は、無線基地局１００２により送信されたDCD/UCD情報を格納する。
【０１１１】
移動端末２００は、PAGING情報格納部２６８を有する。PAGING情報格納部２６８は、当該移動端末２００がアイドルモードである場合に、通信期間の開始及び終了のフレーム番号を管理する。
【０１１２】
移動端末２００は、ネットワーク登録処理部２７０を有する。ネットワーク登録処理部２７０は、現在接続している無線基地局に対してネットワークへの登録処理を行う。
【０１１３】
移動端末２００は、BS切替処理部２７２を有する。BS切替処理部２７２は、接続先の無線基地局を切り替える。具体的には、BS切替処理部２７２は、指定された中心周波数とバンド幅を設定する。
【０１１４】
移動端末２００は、BS接続情報格納部２７４を有する。BS接続情報格納部２７４は、無線基地局に接続するための情報を格納する。例えば、該無線基地局に接続するための情報には、中心周波数、バンド幅が含まれる。例えば、運用時に使用するいくつかの中心周波数とバンド幅は、起動時に設定されていてもよい。例えば、管理者により設定されてもよい。
【０１１５】
移動端末２００は、制御部２７６を有する。制御部２７６は、上述した各部からの処理結果に基づいて、次に実行する処理を決定する。そして、制御部２７６は、次に実行する処理を実行する部へ処理依頼を行う。
【０１１６】
移動端末２００は、図７を参照して説明した移動端末２００に含まれる各部のうち、CINR測定部２５２と、無線基地局間移動前処理実行条件格納部２７４と、メッセージ処理部２５８と、DCD/UCD送信タイミング情報格納部２６２と、MS宛データ有無判定部２６４と、DCD/UCD情報格納部２６６と、PAGING情報格納部２６８と、BS切替処理部２７２と、BS接続情報格納部２７４と、制御部２７６とを有するようにしてもよい。
【０１１７】
移動端末２００の動作について、図１０及び図１１を参照して説明する。
【０１１８】
無線基地局間移動前処理実行条件格納部２５４には、無線基地局間移動前処理実行の条件についての情報が予め保持される。無線基地局間移動前処理実行の条件の設定の手段としては、例えば、管理者がコマンドにより設定してもよいし、無線基地局１００１からの通知により設定してもよい。例えば、図８を参照して説明したように、CINR値が20(db)よりも小さくなった場合に無線基地局間移動前処理の実行を決定するようにしてもよい。
【０１１９】
BS接続情報格納部２７４には、無線基地局に接続するための情報が予め保持される。無線基地局に接続するための情報には、中心周波数、バンド幅が含まれてもよい。設定の手順としては、例えば、管理者がコマンドにより設定してもよいし、無線基地局からの通知により設定してもよい。例えば、図１２に示すように、無線基地局１００１については中心周波数及びバンド幅をそれぞれ2498.5(MHz)及び5(MHz)とし、無線基地局１００２については中心周波数及びバンド幅をそれぞれ2503.5(MHz)及び5(MHz)としてもよい。
【０１２０】
PAGING情報格納部２６８は、アイドルモードになる際に、無線基地局１００１とのプロトコルで取得したPAGING情報より、通信期間(Listening  Interval)及び非通信期間(Unavailable  Interval)の開始、終了フレームのフレーム番号を管理する。例えば、図１３に示すように、PAGING情報格納部２６８は、通信期間開始のフレーム番号と、通信期間の終了のフレーム番号とを格納するようにしてもよい。図１３に示す例では、通信期間開始のフレーム番号が27、通信期間終了のフレームが32となる。
【０１２１】
CINR測定部２５２は、無線基地局１００１のRSSI値と雑音成分とを測定し、CINRを算出する（ステップＳ１００２）。この処理は、定期的に行われてもよいし、不定期に行われてもよい。CINR測定部２５２は、算出した値が15(db)だったとする。この場合、CINR測定部２５２は、該CINR値15(db)を制御部２７６に通知する（ステップＳ１００４）。
【０１２２】
制御部２７６は、無線基地局間移動前処理実行条件格納部２５４に保持している実行判定の閾値20(db)を参照する（ステップＳ１００６）。そして、制御部２７６は、CINR測定部２５２により入力されたCINR値15(db)と、無線基地局間移動前処理実行条件格納部２５４に保持している実行判定の閾値20(db)とを比較する（ステップＳ１００８）。
【０１２３】
制御部２７６は、CINR値が閾値よりも小さい場合（ステップＳ１００８：ＹＥＳ）、移動先BS決定部２５６に対して処理依頼を行う（ステップＳ１０１０）。移動先BS決定部２５６は、BS接続情報格納部２７４に格納された情報を参照する（ステップＳ１０１２）。例えば、移動先BS決定部２５６は、移動先の無線基地局１００２への接続に必要なパラメータを取得する。例えば、無線基地局１００１に接続している移動端末２００では、移動先BS決定部２５６は、選択優先度に従って、次に優先度の高い無線基地局を移動先の無線基地局に決定する。そして、該移動先の無線基地局に関するパラメータを制御部２７６に入力する。図１２に示す例では、次に優先度の高い無線基地局として、中心周波数2503.5MHzの無線基地局１００２が選択される。移動先BS決定部２５６は、CINR値が閾値よりも小さく、かつMOB_NBR-ADVを未受信である場合には、無線基地局間移動前処理実行条件を満たすと判定する。この場合、移動先BS決定部２５６は、該無線基地局１００２を移動先の無線基地局と決定し（ステップＳ１０１４）、該移動先の無線基地局１００２を制御部２７６に通知する（ステップＳ１０１６）。
【０１２４】
制御部２７６は、移動先の無線基地局１００２に接続するために、BS切替処理部２７２に対して、BS切替依頼を行う（ステップＳ１０１８）。BS切替依頼には、移動先の無線基地局の中心周波数とバンド幅が含まれてもよい。例えば、BS切替依頼には、中心周波数として2503.5(MHz)とバンド幅として5(MHz)が含まれる。BS切替処理部２７２は指定された中心周波数とバンド幅を設定し無線基地局１００２に接続する（ステップＳ１０２０）。BS切替処理部２７２は、BS切替完了通知を制御部２７６に行う（ステップＳ１０２２）。
【０１２５】
移動端末１００は、無線基地局１００２により送信された下りリンクの信号を受信する（ステップＳ１０２４）。下りリンクの信号には、DL-MAPが含まれる。メッセージ処理部２５８は、該下りリンクの信号のフレームを解析する。例えば、メッセージ処理部２５８は、DCD/UCD情報が送信されるタイミング情報を取得する（ステップＳ１０２６）。例えば、メッセージ処理部２５８は、DCD/UCD情報が送信されるフレーム番号を取得するようにしてもよい。メッセージ処理部２５８は、取得したDCD/UCD情報が送信されるタイミング情報をDCD/UCD送信タイミング情報格納部２６２に保存する（ステップＳ１０２８）。本実施例では一例として、図１４に示すように、DCD/UCD情報が送信されるタイミング情報として、フレーム番号が３０である場合について説明する。
【０１２６】
制御部２７６は、移動先の無線基地局１００２からDCD/UCD情報が送信されるフレームになるまで接続無線基地局１００１に接続するようにしてもよい。この場合、制御部２７６は、接続無線基地局１００１に接続するために、BS切替処理部２７２に対して、BS切替依頼を行う（ステップＳ１０３０）。BS切替依頼には、接続無線基地局１００１の中心周波数とバンド幅が含まれてもよい。例えば、BS切替依頼には、中心周波数として2498.5(MHz)とバンド幅として5(MHz)が含まれる。BS切替処理部２７２は指定された中心周波数とバンド幅を設定し接続無線基地局１００１に接続する（ステップＳ１０３２）。BS切替処理部２７２は、BS切替完了通知を制御部２７６に行う（ステップＳ１０３４）。このように接続先を接続無線基地局１００１に切り戻すことにより、DCD/UCD情報が送信されるフレームまで間（時間）がある場合に他の処理を行うことができる。制御部２７６は、DCD/UCD情報が送信されるフレームまで間（時間）が無い場合には、移動先の無線基地局１００２に接続し続けるようにしてもよい。
【０１２７】
制御部２７６は、PAGING情報格納部２６８に格納された通信期間の開始・終了フレーム番号を参照する（ステップＳ１０３６）。制御部２７６は、DCD/UCD送信タイミング情報格納部２６２に格納されたDCD/UCDの送信フレーム番号を参照する（ステップＳ１０３８）。
【０１２８】
制御部２７６は、通信期間の開始・終了フレーム番号と、DCD/UCD送信フレーム番号とを比較する（ステップＳ１０４０）。無線基地局１００２がDCD/UCD情報を送信するタイミングが通信期間と重なるかを判断する。
【０１２９】
無線基地局１００２がDCD/UCD情報を送信するタイミングが通信期間と重なる場合（ステップＳ１０４０）、制御部２７６は、MS宛データ有無判定部２６４に当該移動端末宛のデータの有無の判定を依頼する（ステップＳ１０４２）。
【０１３０】
本実施例では例えばIEEE802.16eに基づいた位置情報の更新(Location  Update)を無線基地局１００１に対して行う（ステップＳ１０４４）。また、該移動端末２００は、無線基地局１００１にレンジングリクエスト(RNG−REQ)送信するようにしてもよい。そして、無線基地局１００１により送信されたレンジング応答(RNG−RSP)に基づいて、当該移動端末宛のデータの有無を判定するようにしてもよい（ステップＳ１０４６）。例えば、無線基地局からの応答(RNG-RSP)にはMS宛データの有無を示すフィールドがある。MS宛データ有無判定部２６４は該フィールドを参照することによりデータの有無を判定する。MS宛データ有無判定部２６４は位置情報の更新を行った結果、当該移動端末宛のデータがないと判定し、その結果を制御部２７６へ返す（ステップＳ１０４８）。
【０１３１】
制御部２７６は、MS宛データ有無判定部２６４からの判定結果に基づいて、当該移動端末宛のデータがないので、通信期間において無線基地局１００２のDCD/UCD受信処理を優先して行うことを決定する（ステップＳ１０５０）。
【０１３２】
移動端末２００は、下りリンクの信号を受信する（ステップＳ１０５２）。メッセージ処理部２５８は、該下りリンクの信号に含まれるフレーム番号を取得する（ステップＳ１０５４）。メッセージ処理部２５８は、取得したフレーム番号を制御部２７６に入力する（ステップＳ１０５６）。
【０１３３】
制御部２７６は移動先の無線基地局１００２のDCD/UCD情報の送信タイミングが近くなったことを検出する（ステップＳ１０５８）。制御部２７６は、移動先の無線基地局１００２に接続するために、BS切替処理部２７２に対して、BS切替依頼を行う（ステップＳ１０６０）。BS切替依頼には、移動先の無線基地局１００２の中心周波数とバンド幅が含まれてもよい。例えば、BS切替依頼には、中心周波数として2503.5(MHz)とバンド幅として5(MHz)が含まれる。BS切替処理部２７２は指定された中心周波数とバンド幅を設定し移動先の無線基地局１００２に接続する（ステップＳ１０６２）。BS切替処理部２７２は、BS切替完了通知を制御部２７６に行う（ステップＳ１０６４）。このように、DCD/UCD情報の送信タイミングが近くなったことを検出するようにする代わりに、例えば、DCD/UCD情報の送信フレーム番号を取得したときに現在からの時間をタイマーとして設定するようにしてもよいし、フレームを受信するたびにフレーム番号を確認するようにしてもよい。
【０１３４】
移動端末２００は、下りリンクの信号を受信する（ステップＳ１０６６）。メッセージ処理部２５８は、該下りリンクの信号に含まれるDCD/UCD情報を取得する（ステップＳ１０６８）。メッセージ処理部２５８は、取得したDCD/UCD情報をDCD/UCD情報格納部２６６に格納する（ステップＳ１０７０）。
【０１３５】
制御部２７６は、接続無線基地局１００１に接続するために、BS切替処理部２７２に対して、BS切替依頼を行う（ステップＳ１０７２）。BS切替依頼には、移動先の無線基地局１００２の中心周波数とバンド幅が含まれてもよい。例えば、BS切替依頼には、中心周波数として2498.5(MHz)とバンド幅として5(MHz)が含まれる。BS切替処理部２７２は指定された中心周波数とバンド幅を設定し接続無線基地局１００１に接続する（ステップＳ１０７４）。BS切替処理部２７２は、BS切替完了通知を制御部２７６に行う（ステップＳ１０７６）。
【０１３６】
本実施例に係る他の移動端末２００について説明する。
【０１３７】
他の移動端末２００は、図７を参照して説明した移動端末２００に含まれる各部のうち、CINR測定部２５２と、無線基地局間移動前処理実行条件格納部２５４と、メッセージ処理部２５８と、DCD/UCD送信タイミング情報格納部２６２と、MS宛データ有無判定部２６４と、DCCD/UCD情報格納部２６６と、PAGING情報格納部２６８と、BS切替処理部２７２と、BS接続情報格納部２７４と、制御部２７６とを有する。
【０１３８】
本実施例に係る移動端末２００の動作について、図１５及び図１６を参照して説明する。
【０１３９】
移動端末２００の動作において、ステップＳ１４０２−ステップＳ１４４０は、図１０を参照して説明したステップＳ１００２−ステップＳ１０４０と同様である。
【０１４０】
移動先の無線基地局１００２がDCD/UCD情報を送信するタイミングが通信期間と重なる場合（ステップＳ１４４０）、制御部２７６は、PAGING情報格納部２６８に格納された通信期間の開始・終了フレーム番号を参照する（ステップＳ１４４２）。制御部２７６は、MS宛データ有無判定部２６４に対して、当該移動端末宛のデータの有無の判定を依頼する（ステップＳ１４４４）。ここで、制御部２７６は、該通信期間の開始・終了フレーム番号をMS宛データ有無判定部２６４に通知するようにしてもよい。
【０１４１】
移動端末２００は、下りリンクの信号を受信する（ステップＳ１４４６）。メッセージ処理部２５８は、該下りリンクの信号に含まれるフレーム番号を取得する（ステップＳ１４４８）。メッセージ処理部２５８は、取得したフレーム番号をMS宛データ有無判定部２６４に入力する（ステップＳ１４５０）。MS宛データ有無判定部２６４は、通信期間の開始が近づくまで待機する。MS宛データ有無判定部２６４、入力されたフレーム番号に基づいて、通信期間の開始が近づいたかを判定する（ステップＳ１４５２）。このように通信期間の開始が近くなったことを検出する代わりに、例えば、通信開始のフレーム番号を取得したときに現在からの時間をタイマーとして設定するようにしてもよいし、フレームを受信するたびにフレーム番号を確認するようにしてもよい。
【０１４２】
通信期間の開始が近づいた場合、MS宛データ有無判定部２６４は、例えばIEEE802.16eに基づいた位置情報の更新(Location  Update)を無線基地局１００１に対して行う（ステップＳ１４５４）。また、該移動端末２００は、無線基地局１００１にレンジングリクエスト(RNG−REQ)を送信するようにしてもよい。そして、無線基地局１００１により送信されたレンジング応答(RNG−RSP)に基づいて、当該移動端末宛のデータの有無を判定するようにしてもよい（ステップＳ１４５６）。MS宛データ有無判定部２６４は位置情報の更新を行った結果、当該移動端末宛のデータがないと判定し、その結果を制御部２７６へ返す（ステップＳ１４５８）。
【０１４３】
以降、ステップＳ１４６０−ステップＳ１４８６は、図１０を参照して説明したステップＳ１０５０−ステップＳ１０７６と同様である。
【０１４４】
本実施例に係る他の移動端末２００について説明する。
【０１４５】
他の移動端末２００は、図７を参照して説明した移動端末２００に含まれる各部のうち、CINR測定部２５２と、無線基地局間移動前処理実行条件格納部２５４と、メッセージ処理部２５８と、DCD/UCD送信タイミング情報格納部２６２と、MS宛データ有無判定部２６４と、DCD/UCD情報格納部２６６と、PAGING情報格納部２６８と、ネットワーク登録処理部２７０と、BS切替処理部２７２と、BS接続情報格納部２７４と、制御部２７６とを有する。
【０１４６】
本実施例に係る移動端末２００の動作について、図１７及び図１８を参照して説明する。
【０１４７】
移動端末２００の動作において、ステップＳ１５０２−ステップＳ１５３４は、図１０を参照して説明したステップＳ１００２−ステップＳ１０３４と同様である。
【０１４８】
移動端末２００は、下りリンクの信号を受信する（ステップＳ１５３６）。メッセージ処理部２５８は、該下りリンクの信号に含まれるフレーム番号を取得する（ステップＳ１５３８）。メッセージ処理部２５８は、取得したフレーム番号を制御部２７６に入力する（ステップＳ１５４０）。
【０１４９】
制御部２７６は移動先の無線基地局１００２のDCD/UCD情報の送信タイミングが近くなったことを検出する（ステップＳ１５４２：ＹＥＳ）。制御部２７６は、無線基地局１００２に接続するために、BS切替処理部２７２に対して、BS切替依頼を行う（ステップＳ１５４４）。BS切替依頼には、移動先の無線基地局の中心周波数とバンド幅が含まれてもよい。例えば、BS切替依頼には、中心周波数として2503.5(MHz)とバンド幅として5(MHz)が含まれる。BS切替処理部２７２は指定された中心周波数とバンド幅を設定し無線基地局１００２に接続する（ステップＳ１５４６）。BS切替処理部２７２は、BS切替完了通知を制御部２７６に行う（ステップＳ１５４８）。このように、DCD/UCD情報の送信タイミングが近くなったことを検出するようにする代わりに、例えば、DCD/UCD情報の送信フレーム番号を取得したときに現在からの時間をタイマーとして設定するようにしてもよいし、フレームを受信するたびにフレーム番号を確認するようにしてもよい。
【０１５０】
移動端末２００は、下りリンクの信号を受信する（ステップＳ１５５０）。メッセージ処理部２５８は、該下りリンクの信号に含まれるDCD/UCD情報を取得する（ステップＳ１５５２）。メッセージ処理部２５８は、取得したDCD/UCD情報をDCD/UCD情報格納部２６６に格納する（ステップＳ１５５４）。
【０１５１】
制御部２７６は、接続無線基地局１００１に接続するために、BS切替処理部２７２に対して、BS切替依頼を行う（ステップＳ１５５６）。BS切替依頼には、移動先の無線基地局１００２の中心周波数とバンド幅が含まれてもよい。例えば、BS切替依頼には、中心周波数として2498.5(MHz)とバンド幅として5(MHz)が含まれる。BS切替処理部２７２は指定された中心周波数とバンド幅を設定し接続無線基地局１００１に接続する（ステップＳ１５５８）。BS切替処理部２７２は、BS切替完了通知を制御部２７６に行う（ステップＳ１５６０）。
【０１５２】
制御部２７６は、PAGING情報格納部２６８に格納された通信期間の開始・終了フレーム番号を参照する（ステップＳ１５６２）。制御部２７６は、DCD/UCD送信タイミング情報格納部２６２に格納されたDCD/UCDの送信フレーム番号を参照する（ステップＳ１５６４）。
【０１５３】
制御部２７６は、通信期間の開始・終了フレーム番号と、DCD/UCD送信フレーム番号とを比較する（ステップＳ１５６６）。移動先の無線基地局１００２がDCD/UCD情報を送信するタイミングが通信期間と重なるかを判断する。
【０１５４】
移動先の無線基地局１００２がDCD/UCD情報を送信するタイミングが通信期間と重なる場合（ステップＳ１５６６）、制御部２７６は、MS宛データ有無判定部２６４に当該移動端末宛のデータの有無の判定を依頼する（ステップＳ１５６８）。
【０１５５】
本実施例では例えばIEEE802.16eに基づいた位置情報の更新(Location  Update)を接続無線基地局１００１に対して行う（ステップＳ１５７０）。また、該移動端末２００は、接続無線基地局１００１にレンジングリクエスト(RNG−REQ)送信するようにしてもよい。そして、接続無線基地局１００１により送信されたレンジング応答(RNG−RSP)に基づいて、当該移動端末宛のデータの有無を判定するようにしてもよい（ステップＳ１５７２）。例えば、接続無線基地局１００１からの応答(RNG-RSP)にはMS宛データの有無を示すフィールドがある。MS宛データ有無判定部２６４は該フィールドを参照することによりデータの有無を判定する。MS宛データ有無判定部２６４は位置情報の更新を行った結果、当該移動端末宛のデータがないと判定し、その結果を制御部２７６へ返す（ステップＳ１５７４）。
【０１５６】
制御部２７６は、MS宛データ有無判定部２６４からの判定結果に基づいて、当該移動端末宛のデータがある場合（ステップＳ１５７６）、制御部２７６は、該データを受信するために、ネットワーク登録処理部２７０に処理依頼を行う（ステップＳ１５７８）。
【０１５７】
ネットワーク登録処理部２７０は、無線基地局１００１に対して、ネットワーク登録処理を行う（ステップＳ１５８０）。ネットワーク登録処理部２７０は、アイドルモードを解除して、下りリンクのデータの受信に備える。
【０１５８】
本実施例に係る他の移動端末２００について説明する。
【０１５９】
他の移動端末２００は、図７を参照して説明した移動端末２００に含まれる各部のうち、CINR測定部２５２と、無線基地局間移動前処理実行条件格納部２５４と、メッセージ処理部２５８と、MOB_PAG-ADV受信管理部２６０と、DCD/UCD送信タイミング情報格納部２６２と、MS宛データ有無判定部２６４と、DCD/UCD情報格納部２６６と、PAGING情報格納部２６８と、ネットワーク登録処理部２７０と、BS切替処理部２７２と、BS接続情報格納部２７４と、制御部２７６とを有する。
【０１６０】
本実施例に係る移動端末２００の動作について、図１９及び図２０を参照して説明する。
【０１６１】
移動端末２００の動作において、ステップＳ１６０２−ステップＳ１６３４は、図１０を参照して説明したステップＳ１００２−ステップＳ１０３４と同様である。
【０１６２】
移動端末２００は、下りリンクの信号を受信する（ステップＳ１６３６）。メッセージ処理部２５８は、該下りリンクの信号に含まれるフレーム番号を取得する（ステップＳ１６３８）。メッセージ処理部２５８は、取得したフレーム番号を制御部２７６に入力する（ステップＳ１６４０）。
【０１６３】
制御部２７６は無線基地局１００２のDCD/UCD情報の送信タイミングが近くなったことを検出する（ステップＳ１６４２：ＹＥＳ）。制御部２７６は、移動先の無線基地局１００２に接続するために、BS切替処理部２７２に対して、BS切替依頼を行う（ステップＳ１６４４）。BS切替依頼には、移動先の無線基地局１００２の中心周波数とバンド幅が含まれてもよい。例えば、BS切替依頼には、中心周波数として2503.5(MHz)とバンド幅として5(MHz)が含まれる。BS切替処理部２７２は指定された中心周波数とバンド幅を設定し移動先の無線基地局１００２に接続する（ステップＳ１６４６）。BS切替処理部２７２は、BS切替完了通知を制御部２７６に行う（ステップＳ１６４８）。このように、DCD/UCD情報の送信タイミングが近くなったことを検出するようにする代わりに、例えば、DCD/UCD情報の送信フレーム番号を取得したときに現在からの時間をタイマーとして設定するようにしてもよいし、フレームを受信するたびにフレーム番号を確認するようにしてもよい。
【０１６４】
移動端末２００は、下りリンクの信号を受信する（ステップＳ１６５０）。メッセージ処理部２５８は、該下りリンクの信号に含まれるDCD/UCD情報を取得する（ステップＳ１６５２）。メッセージ処理部２５８は、取得したDCD/UCD情報をDCD/UCD情報格納部２６６に格納する（ステップＳ１６５４）。
【０１６５】
制御部２７６は、接続無線基地局１００１に接続するために、BS切替処理部２７２に対して、BS切替依頼を行う（ステップＳ１６５６）。BS切替依頼には、移動先の無線基地局１００２の中心周波数とバンド幅が含まれてもよい。例えば、BS切替依頼には、中心周波数として2498.5(MHz)とバンド幅として5(MHz)が含まれる。BS切替処理部２７２は指定された中心周波数とバンド幅を設定し接続無線基地局１００１に接続する（ステップＳ１６５８）。BS切替処理部２７２は、BS切替完了通知を制御部２７６に行う（ステップＳ１６６０）。
【０１６６】
制御部２７６は、PAGING情報格納部２６８に格納された通信期間の開始・終了フレーム番号を参照する（ステップＳ１６６２）。制御部２７６は、DCD/UCD送信タイミング情報格納部２６２に格納されたDCD/UCDの送信フレーム番号を参照する（ステップＳ１６６４）。
【０１６７】
制御部２７６は、通信期間の開始・終了フレーム番号と、DCD/UCD送信フレーム番号とを比較する（ステップＳ１６６６）。無線基地局１００２がDCD/UCD情報を送信するタイミングが通信期間と重なるかを判断する。
【０１６８】
無線基地局１００２がDCD/UCD情報を送信するタイミングが通信期間と重なる場合（ステップＳ１６６６：ＹＥＳ）、制御部２７６は、MS宛データ有無判定部２６４に当該移動端末宛のデータの有無の判定を依頼する（ステップＳ１６６８）。
【０１６９】
移動端末２００は、下りリンクの信号を受信する（ステップＳ１６７０）。メッセージ処理部２５８は、該下りリンクの信号に含まれるフレーム番号を取得する（ステップＳ１６７２）。メッセージ処理部２５８は、取得したフレーム番号をMS宛データ有無判定部２６４に入力する（ステップＳ１６７４）。
【０１７０】
MS宛データ有無判定部２６４は、入力されたフレーム番号に基づいて、通信期間の終了が近いかを判定する（ステップ１６７６）。通信期間の終了が近いと判定した場合（ステップＳ１６７６：ＹＥＳ）、MOB_PAG-ADV受信管理部２６０を参照する（ステップＳ１６７８）。MS宛データ有無判定部２６４は、MOB_PAG-ADVを受信していない場合（ステップＳ１６８０：ＹＥＳ），例えばIEEE802.16eに基づいた位置情報の更新(Location  Update)を無線基地局１００１に対して行う（ステップＳ１６８２）。また、該移動端末２００は、無線基地局１００１にレンジングリクエスト(RNG−REQ)送信するようにしてもよい。そして、無線基地局１００１により送信されたレンジング応答(RNG−RSP)に基づいて、当該移動端末宛のデータの有無を判定するようにしてもよい（ステップＳ１６８４）。例えば、無線基地局からの応答(RNG-RSP)にはMS宛データの有無を示すフィールドがある。MS宛データ有無判定部２６４は該フィールドを参照することによりデータの有無を判定する。MS宛データ有無判定部２６４は位置情報の更新を行った結果、当該移動端末宛のデータがないと判定し、その結果を制御部２７６へ返す（ステップＳ１６８６）。
【０１７１】
制御部２７６は、MS宛データ有無判定部２６４からの判定結果に基づいて、当該移動端末宛のデータがある場合（ステップＳ１６８８）、制御部２７６は、該データを受信するために、ネットワーク登録処理部２７０に処理依頼を行う（ステップＳ１６９０）。
【０１７２】
ネットワーク登録処理部２７０は、無線基地局１００１に対して、ネットワーク登録処理を行う（ステップＳ１６９２）。ネットワーク登録処理部２７０は、アイドルモードを解除して、下りリンクのデータの受信に備える。
【０１７３】
本実施例によれば、MOB_NBR-ADV未受信の状態で、かつ移動先の無線基地局のDCD/UCD配布タイミングが接続無線基地局の通信期間と重なる状況において、当該移動端末宛のデータの有無を接続無線基地局に対して確認する。当該無線基地局宛のデータがない場合には通信期間であっても移動先の無線基地局のDCD/UCD受信処理を優先して行う。このようにすることで、通信期間とDCD/UCD配布タイミングが重なっても移動先の無線基地局のDCD/UCD情報を取得することができる。その結果、MOB_NBR-ADV未受信の状態で接続先を移動先の無線基地局に切り替えても直ちに通信を開始することが可能となる。
また、接続先を移動先の無線基地局に切り替えて通信を開始するまでの時間を短縮できる。
（付記１）
移動端末において、
第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替える手段と、
前記第１の無線基地局から隣接無線基地局情報を受信していないと判断された場合に、第２の無線基地局から通信パラメータの送信タイミング情報を取得する手段と、
前記第１の無線基地局に対して、該移動端末宛のデータがあるか否かを問い合わせる手段と、
前記取得する手段により取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信する手段と
を有する移動端末。
（付記２）
付記１に記載の移動端末において、
前記問い合わせる手段は、前記取得する手段により取得された送信タイミングが前記送信された情報の受信を行う期間に含まれると判定された後、該前記送信された情報の受信を行う期間の開始直前に、当該移動端末宛のデータがあるかを問い合わせる移動端末。
（付記３）
付記１に記載の移動端末において、
前記問い合わせる手段は、前記取得する手段により取得された送信タイミングが前記送信された情報の受信を行う期間に含まれる場合に、前記受信する手段において前記第２の無線基地局により送信される通信パラメータが受信された後、当該移動端末宛のデータがあるかを問い合わせる移動端末。
（付記４）
付記３に記載の移動端末において、
前記問い合わせる手段は、前記情報の受信を行う期間が終了する際に、前記第１の無線基地局によりページングメッセージを受信していない場合に、当該移動端末宛のデータがあるかを問い合わせる移動端末。
（付記５）
付記１ないし４のいずれか１項に記載の移動端末において、
前記問い合わせる手段は、前記第１の無線基地局に、位置情報の更新を送信することにより、当該移動端末宛のデータがあるかを問い合わせる移動端末。
（付記６）
第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替える手段と、
前記第１の無線基地局から隣接無線基地局情報を受信していないと判断された場合に、第２の無線基地局から通信パラメータの送信タイミング情報を取得する手段と、
前記第１の無線基地局に対して、該移動端末宛のデータがあるか否かを問い合わせる手段と、
前記取得する手段により取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信する手段と
を有するシステム。
（付記７）
移動端末が、第１の無線基地局のカバーエリアに在圏し、第１の期間において該第１の無線基地局から送信される信号についての受信処理を行い、第２の期間において該第１の無線基地局から送信される信号について受信処理を行わない動作を行うように受信動作を切り替えるステップと、
前記移動端末が、前記第１の無線基地局から隣接無線基地局情報を受信していないと判断された場合に、第２の無線基地局から通信パラメータの送信タイミング情報を取得するステップと、
前記移動端末が、前記第１の無線基地局に対して、該移動端末宛のデータがあるか否かを問い合わせるステップと、
前記移動端末が、前記取得するステップにより取得された送信タイミングが前記第１の期間に含まれる場合に、前記問い合わせる手段による問い合わせの結果が、前記第１の無線基地局から該移動端末宛に対して送信されるデータがないことを示す場合に、前記送信タイミングにおいて前記第２の無線基地局から送信される通信パラメータを受信するステップと
を有する方法。
（付記８）
付記７に記載の方法において、
前記問い合わせるステップは、前前記取得するステップにより取得された送信タイミングが前記送信された情報の受信を行う期間に含まれると判定された後、該前記送信された情報の受信を行う期間の開始直前に、当該移動端末宛のデータがあるかを問い合わせる方法。
（付記９）
付記７に記載の方法において、
前記問い合わせるステップは、前記取得するステップにより取得された送信タイミングが前記送信された情報の受信を行う期間に含まれる場合に、前記受信するステップにおいて前記第２の無線基地局により送信される通信パラメータが受信された後、当該移動端末宛のデータがあるかを問い合わせる方法。
（付記１０）
付記９に記載の方法において、
前記問い合わせるステップは、前記情報の受信を行う期間が終了する際に、前記第１の無線基地局によりページングメッセージを受信していない場合に、当該移動端末宛のデータがあるかを問い合わせる方法。
（付記１１）
付記７ないし１０のいずれか１項に記載の方法において、
前記問い合わせるステップは、前記第１の無線基地局に、位置情報の更新を送信することにより、当該移動端末宛のデータがあるかを問い合わせる方法。
【図面の簡単な説明】
【０１７４】
【図１】フレームフォーマットの一例を示す説明図である。
【図２】一実施例に係る移動端末の動作を示すフロー図である。
【図３】一実施例に係る移動端末の動作を示すフロー図である。
【図４】一実施例に係る移動端末の動作を示すフロー図である。
【図５】一実施例に係る移動端末を示す部分ブロック図である。
【図６】一実施例に係るシステムを示す説明図である。
【図７】一実施例に係る移動端末を示す部分ブロック図である。
【図８】一実施例に係る移動端末の動作を示す説明図である。
【図９】一実施例に係る移動端末の動作を示す説明図である。
【図１０】一実施例に係る移動端末の動作を示すフロー図である。
【図１１】一実施例に係る移動端末の動作を示すフロー図である。
【図１２】一実施例に係る移動端末の動作を示す説明図である。
【図１３】一実施例に係る移動端末の動作を示す説明図である。
【図１４】一実施例に係る移動端末の動作を示す説明図である。
【図１５】一実施例に係る移動端末の動作を示すフロー図である。
【図１６】一実施例に係る移動端末の動作を示すフロー図である。
【図１７】一実施例に係る移動端末の動作を示すフロー図である。
【図１８】一実施例に係る移動端末の動作を示すフロー図である。
【図１９】一実施例に係る移動端末の動作を示すフロー図である。
【図２０】一実施例に係る移動端末の動作を示すフロー図である。
【符号の説明】
【０１７５】
１００（１００１、１００２）  無線基地局
２００  移動端末
２０２  隣接BS情報未受信無線基地局移動判定部
２０４  移動先BS決定部
２０６  通信パラメータ送信タイミング情報取得部
２０８  通信パラメータ送信タイミング判定部
２１０  MS宛データ有無判定部
２１２  通信パラメータ情報取得部
２１４  PAGING情報取得部
２１６  ネットワーク登録処理部
２１８  PAGINGメッセージ受信判定部
２２０  BS切替処理部
２５２  CINR測定部
２５４  無線基地局間移動前処理実行条件格納部
２５６  移動先BS決定部
２５８  メッセージ処理部
２６０  MOB_PAG-ADV受信管理部
２６２  DCD/UCD送信タイミング情報格納部
２６４  MS宛データ有無判定部
２６６  DCD/UCD情報格納部
２６８  PAGING情報格納部
２７０  ネットワーク登録処理部
２７２  BS切替処理部
２７４  BS接続情報格納部
２７６  制御部
【図１】
2010021640.tif 000003
【図２】
2010021640.tif 000004
【図３】
2010021640.tif 000005
【図４】
2010021640.tif 000006
【図５】
2010021640.tif 000007
【図６】
2010021640.tif 000008
【図７】
2010021640.tif 000009
【図８】
2010021640.tif 000010
【図９】
2010021640.tif 000011
【図１０】
2010021640.tif 000012
【図１１】
2010021640.tif 000013
【図１２】
2010021640.tif 000014
【図１３】
2010021640.tif 000015
【図１４】
2010021640.tif 000016
【図１５】
2010021640.tif 000017
【図１６】
2010021640.tif 000018
【図１７】
2010021640.tif 000019
【図１８】
2010021640.tif 000020
【図１９】
2010021640.tif 000021
【図２０】
2010021640.tif 000022